(57)【要約】【課題】      タバコ臭等を効果的に消臭するとともに、その消臭効果が持続し、更に、繊維製品に付着、蓄積した皮脂成分の微生物による分解等により新たな臭いが発生することを防ぐ効果も有する繊維製品用の液体防臭消臭剤組成物を提供すること。【解決手段】    本発明は、（ａ）粒径が１〜１００ｎｍのシリカ微粒子と、（ｂ）低級アルコールと、水とを含有する繊維製品用液体防臭消臭剤組成物を提供する。本発明はまた、スプレー容器と、該スプレー容器に充填された前記繊維製品用液体防臭消臭剤組成物とからなることを特徴とする、スプレー容器入り繊維製品用液体防臭消臭剤組成物を提供する。【特許請求の範囲】
【請求項１】
（ａ）粒径が１〜１００ｎｍのシリカ微粒子と、（ｂ）低級アルコールと、水とを含有する繊維製品用液体防臭消臭剤組成物。
【請求項２】
（ａ）シリカ微粒子が、その表面をアルミナで被覆したシリカ微粒子であることを特徴とする請求項１記載の繊維製品用液体防臭消臭剤組成物。
【請求項３】
（ａ）シリカ微粒子が、カチオン性である請求項１記載の繊維製品用液体防臭消臭剤組成物。
【請求項４】
さらに、（ｃ）カチオン性抗菌剤を含有する請求項１又は２記載の繊維製品用液体防臭消臭剤組成物。
【請求項５】
スプレー容器と、該スプレー容器に充填された請求項１〜4のいずれか１項記載の繊維製品用液体防臭消臭剤組成物とを含む、スプレー容器入り繊維製品用液体防臭消臭剤組成物。
【請求項６】
請求項１〜4のいずれか１項記載の繊維製品用液体防臭消臭剤組成物と、該組成物を収納したスプレー容器とを含む、繊維製品用液体防臭消臭剤組成物入りスプレー容器。
【発明の詳細な説明】
【技術分野】
【０００１】
本発明は、繊維製品に付着したタバコ臭等の複合臭を消臭する効果に優れるとともに、その消臭効果が長時間持続し、更に、消臭時に新たな臭いが発生することを防ぐ効果も有する繊維製品用の液体防臭消臭剤組成物及びスプレー容器入り繊維製品用液体防臭消臭剤に関する。
【背景技術】
【０００２】
日常生活において、着用衣類やカーテン、ソファー等の繊維製品に、タバコ臭、脂臭や体臭等が付着し不快な思いをすることは、一般的によくある事である。特に、スーツやコート等家庭で洗濯することのできない繊維製品に付着した臭いは、しばらくの間残存することから、家庭において簡便にその臭いを除去したいというニーズは強い。
従来、消臭技術としては、主に化学的消臭、感覚的消臭、物理的消臭の３つが挙げられる。化学的消臭は、中和等の化学反応により消臭するものであるが、反応選択性が狭いため、対象の臭いが限られている場合には優れた効果を発揮するが、タバコ臭等の複合臭に対しては効果的に消臭することは難しい。
また、感覚的消臭としては、マスキングや感覚中和が挙げられる。マスキングは、対象とする臭いに対し、それ以上に強い香料等の芳香物質を付着させ、臭いを感じさせないようにするものであるが、香料自身の臭いが強く残ってしまう上に、対象とする臭いの質によっては充分な効果が得られない場合も多く、やはり複合臭に対しては効果的に消臭することは難しい。感覚中和は、人間の鼻に作用して、その感覚を中和することにより臭いを感じにくくするものと言われており、その作用機構から幅広い臭いに対して効果を発揮するものであるが、臭いに直接作用するものではないことから、消臭効果としては充分なものではない。
以上のように、化学的消臭、感覚的消臭ともに一長一短があるわけであるが、これらの効果を有する成分を多様に含有することで各消臭方法の長所を生かしたものとして、植物抽出物等を利用した技術が多数開示されている（例えば特許文献１、２、３、４参照）。これらは、タバコ臭等の複合臭に対して優れた効果を発揮するものであるが、基剤自身にある程度の臭いがある上に、感覚的消臭に寄与する成分が主に揮発成分で構成されていることから、経時により効果が弱まっていくという問題がある。
【０００３】
一方で、物理的消臭としては、シリカゲルや活性炭等の多孔性固体に臭い分子を吸着させることが挙げられ、一般的には、気相中の臭いを取る場合に用いられてきた。物理的消臭は臭いの選択性もさほどなく、複合臭にも優れた効果を発揮することから、更に、消臭速度や簡便性を向上させる目的で、分散媒に固体消臭剤を分散させた液状の消臭剤も研究がなされてきている（例えば特許文献５参照）。特に、固体消臭剤としてシリカを用いた場合（例えば特許文献６参照）には、乾燥時にシリカが凝集し臭い分子の放出を抑制することから、その消臭効果を長時間持続させることが可能となる。
以上のように、固体消臭剤としてシリカを用いた液状の消臭剤は、他の消臭方法と比較しても、対象とする臭いの選択性の広さや効果の持続性に優れるものであり、繊維製品等の固体に付着した臭い分子をシリカにより吸着する場合にも、シリカを繊維製品等に適用するのに液状の消臭剤とすることが好ましい。しかしながら、気相中に放出された臭い分子を吸着する従来の物理的消臭と比べると、液状の消臭剤に含まれるシリカの消臭効果は、液体中に溶出してきた臭い分子を主に吸着するものであることから、物理的消臭としての効果を充分に発揮しているとは言い難い。
更に、不快な思いをする臭いとして、繊維製品に付着、蓄積した皮脂成分の微生物による分解等により発生してくる脂肪酸臭等も挙げられる。この分解には水分が必要であることが知られており、水系の液体消臭剤で繊維製品を処理した場合、繊維製品に予め付着していた臭いは消臭できても、一方でこの分解を促進し、新たな臭いを発生させてしまう可能性がある。よって、水系の液体消臭剤の場合、この分解等を抑制することも必要な機能となってくる。
【０００４】
【特許文献１】特開２０００−１１００６８号公報
【特許文献２】特開２０００−１７８８８２号公報
【特許文献３】ＷＯ０１／０３１１１４号
【特許文献４】特開２００３−９６６６７号公報
【特許文献５】特開２００３−７０８９０号公報
【特許文献６】特開２００２−３３６３３６号公報
【発明の開示】
【発明が解決しようとする課題】
【０００５】
本発明が解決しようとする課題は、タバコ臭等を効果的に消臭するとともに、その消臭効果が持続し、更に、繊維製品に付着、蓄積した皮脂成分の微生物による分解等により新たな臭いが発生することを防ぐ効果も有する繊維製品用の液体防臭消臭剤組成物を提供することである。
【課題を解決するための手段】
【０００６】
本発明者らは、上記課題を克服するために鋭意検討を行った結果、特定粒径のシリカ微粒子と特定の溶剤を組み合わせた組成物が上記課題を解決できることを見出し、本発明を完成するに至った。
すなわち、本発明は、（ａ）粒径が１〜１００ｎｍのシリカ微粒子と、（ｂ）低級アルコールと、水とを含有する繊維製品製品用液体防臭消臭剤組成物を提供する。
本発明はまた、スプレー容器と、該スプレー容器に充填された前記繊維製品用液体防臭消臭剤組成物とからなることを特徴とする、スプレー容器入り繊維製品用液体防臭消臭剤組成物を提供する。
本発明はまた、前記繊維製品用液体防臭消臭剤組成物と、該組成物を収納したスプレー容器とを含む、繊維製品用液体防臭消臭剤組成物入りスプレー容器を提供する。
【発明の効果】
【０００７】
本発明によれば、タバコ臭等を効果的に消臭するとともに、その消臭効果が長時間持続し、更に、新たな臭いが発生することを防ぐ効果も有する繊維製品用の液体防臭消臭剤組成物及びその組成物を用いて繊維製品を処理することが家庭においても簡便に行える繊維製品用の液体防臭消臭剤物品を提供することができる。
【発明を実施するための最良の形態】
【０００８】
本発明における（ａ）成分のシリカ微粒子とは、ＳｉＯ2を主骨格とする水不溶性の微粒子を指し、アモルファスシリカ、結晶性シリカ及びアモルファスシリカを水中に分散させた形態のコロイダルシリカ等が挙げられるが、それらの中でも、微粒子の分散安定性の点から、コロイダルシリカが好ましい。コロイダルシリカは、「スノーテックス」（日産化学工業（株）製）、「シリカドール」（日本化学工業（株）製）等、市販品として容易に入手できる。
通常、シリカ微粒子の表面はシラノール基によりアニオン性を帯びている。また、シリカ表面にアルミナ、ジルコニウム等をコーティングすることができ、その適用量によって、アニオン性、ノニオン性及びカチオン性に帯電したものが得られる。消臭性及び防臭性の点から、（ａ）成分のシリカ微粒子としては、該表面をアルミナで被覆したものが好ましい。（ａ）成分のシリカ微粒子としては、カチオン性に帯電したものもまた好ましい。さらに特に、シリカ微粒子表面をアルミナで被覆し、カチオン性に帯電しているものが好ましい。このアルミナのコーティング方法としては、特に限定されるものではないが、塩基性塩化アルミニウムで処理する等の従来公知の方法により調整することができる。このようなカチオン変性したコロイダルシリカとしては、スノーテックスＡＫ（日産化学工業（株）製）、シリカドール２０Ｐ（日本化学工業（株）製）、Ｋｌｅｂｏｓｏｌ３０ＣＡＬ２５（Ｃｌａｒｉａｎｔ社製）等が挙げられる。
【０００９】
本発明における（ａ）成分のシリカ微粒子の粒径は、下限が１ｎｍ以上であり、上限は１００ｎｍ以下、好ましくは５０ｎｍ以下、より好ましくは２０ｎｍ以下である。特に、１０〜１００ｎｍが好ましく、さらに特に１０〜２０ｎｍが好ましい。尚、アルミナ等を使用してシリカ微粒子表面を被覆した場合、シリカ微粒子の粒径は、被覆前の粒径を意味する。シリカ微粒子の粒径がこの範囲内にあると、消臭性、防臭性及び分散安定性に優れるので好ましい。このシリカ微粒子の粒径は、ＢＥＴ法と呼ばれる通常窒素吸着法により測定される比表面積から、常法により平均粒子径として算出されるものである。
本発明の組成物中における（ａ）成分のシリカ微粒子の配合量は、下限が好ましくは０．０１質量％以上、より好ましくは０．１質量％以上、更に好ましくは０．５質量％以上であり、上限は１０質量％以下、より好ましくは５質量％以下、更に好ましくは３質量％以下である。特に、０．０５〜５質量％が好ましく、さらに特に０．１〜３質量％が好ましい。（ａ）成分のシリカ微粒子の配合量がこの範囲内にあると、消臭性、防臭性、分散安定性及び経済性に優れるので好ましい。なお、（ａ）成分のシリカ微粒子としてコロイダルシリカを使用する場合、組成物中の配合量は、純分の値を示す。（ａ）成分のシリカ微粒子は、１種もしくはアニオン性又はカチオン性の電荷が同じであれば２種以上併用してもよい。
【００１０】
本発明における（ｂ）成分の低級アルコールは、消臭性及び防臭性を向上させる効果を有する。低級アルコールとしては、炭素数１〜４の１価アルコールを使用することができ、具体的にはメタノール、エタノール、イソプロパノール等が挙げられるが、安全性の点から、エタノール又はイソプロパノールが好ましく、更に乾燥性の点からエタノールがより好ましい。
本発明の組成物中における（ｂ）成分の低級アルコールの配合量は、下限が好ましくは２質量％以上、より好ましくは５質量％以上、更に好ましくは１０質量％以上であり、上限は４５質量％以下、より好ましくは３５質量％以下、更に好ましくは２５質量％以下である。特に、５〜３５質量％が好ましく、さらに特に１０〜２５質量％が好ましい。（ｂ）成分の配合量がこの範囲内にあると、消臭性、防臭性及び（ａ）成分のシリカ微粒子の分散安定性に優れるので好ましい。（ｂ）成分の低級アルコールは、１種でも２種以上併用してもよい。
【００１１】
本発明の組成物には、水が必須成分となる。水は、繊維製品に付着した臭い成分の内、水溶性のものを繊維製品から溶出させる効果を有する。水としては、水道水、精製水、蒸留水等が挙げられるが、（ａ）成分のシリカ微粒子の分散安定性、及び経済性の点から精製水が好ましい。
本発明の組成物における水の配合量は、特に限定はされないが、下限が、好ましくは５０質量％以上、より好ましくは６０質量％以上、更に好ましくは７０質量％以上であり、上限は、好ましくは９５質量％以下、より好ましくは９０質量％以下、更に好ましくは８５質量％以下である。特に、６０〜９０質量％が好ましく、さらに特に７０〜８５質量％が好ましい。水の配合量がこの範囲内にあると、消臭性及びシリカ微粒子の分散安定性に優れるので好ましい。
【００１２】
本発明の組成物には、消臭時に、繊維製品上に付着又は蓄積した皮脂成分の微生物による分解等により新たな臭いが発生してくることを抑制するという点から、さらに抗菌剤を含有することができる。（ａ）成分のシリカ微粒子が、表面にアルミナをコーティングすることでカチオン性を帯びているものである場合に、更に、（ｃ）成分としてカチオン性抗菌剤を配合することが好ましい。カチオン性抗菌剤としては、アルキル基の炭素数８〜１８のモノアルキルトリメチルアンモニウム塩、各アルキル基の炭素数４〜１０のジアルキルジメチルアンモニウム塩、アルキル基の炭素数８〜１８のアルキルベンジルジメチルアンモニウム塩、アルキル基の炭素数８〜１８のアルキルピリジニウム塩等が挙げられる。このうち、アルキル基の炭素数８〜１８のモノアルキルトリメチルアンモニウム塩、各アルキル基の炭素数４〜１０のジアルキルジメチルアンモニウム塩が好ましい。特に、（ａ）成分のシリカ微粒子の分散安定性の点から、ステアリルトリメチルアンモニウムクロライド及びジデシルジメチルアンモニウムクロライドが好ましい。
本発明の組成物中に必要により含まれる（ｃ）成分のカチオン性抗菌剤の配合量は、下限が好ましくは０．０１質量％以上、より好ましくは０．０２質量％以上、より好ましくは０．０５質量％以上、更に好ましくは０．１質量％以上であり、上限は５質量％以下、より好ましくは３質量％以下、より好ましくは２質量％以下、更に好ましくは１質量％以下である。特に、０．０２〜３質量％が好ましく、さらに特に０．０５〜１質量％が好ましい。（ｃ）成分の配合量がこの範囲にあると、消臭性、防臭性及び（ａ）成分のシリカ微粒子の分散安定性に優れるので好ましい。（ｃ）成分のカチオン性抗菌剤は、１種でも２種以上併用してもよい。
【００１３】
本発明の組成物には、本発明の効果を損なわない範囲で、以下の任意成分を配合することができる。炭素数１２〜１８のアルキル基を有し、ポリオキシエチレンの付加モル数が５〜５０、プロピレンオキサイドの付加モル数が０〜５のポリオキシアルキレンアルキルエーテル、炭素数８〜１８のアルキル基を有し、グルコースユニットの平均付加モル数１〜１０のアルキルポリグルコシド、炭素数８〜１８のアルキル基を有し、グリセリンユニットの平均付加モル数１〜３のアルキルグリセリルエーテル、炭素数１０〜２０の脂肪酸ジエタノールアミド、炭素数１０〜１８アルキル基を有し、エチレンオキサイドの平均付加モル数１〜３０のメトキシポリオキシエチレンアルカノエート等の非イオン界面活性剤。ジメチルシリコーン、ポリエーテル変性シリコーン、メチルフェニルシリコーン、アルキル変性シリコーン、高級脂肪酸変性シリコーン、フッ素変性シリコーン、エポキシ変性シリコーン、カルボキシ変性シリコーン、カルビノール変性シリコーン、及びアミノ変性シリコーン等のシリコーン化合物。エチレングリコール、プロピレングリコール、ポリエチレングリコール、ポリプロピレングリコール、ポリアルキレングリコールブチルエーテル、ポリアルキレングリコールフェニルエーテル等のグリコール系溶剤。メチルパラベン、ケーソンＣＧ／ＩＣＰ等の防腐剤。特開２００２−１４６３９９号公報記載の、香料成分、溶剤及び安定化剤等を含有する香料組成物。硫酸、水酸化ナトリウム等のｐＨ調整剤。これらの任意成分の内、非イオン界面活性剤、ポリエーテル変性シリコーン等の界面活性能を有する成分を配合することは、繊維製品に付着した水難溶性又は水不溶性の臭い成分の、溶剤中への溶出を促進することから好ましい。
本発明の組成物における上記任意成分の配合量は、上限が好ましくは５質量％以下、より好ましくは２質量％以下であり、１質量％以下が更に好ましい。任意成分は、１種でも２種以上併用してもよい。
【００１４】
本発明の組成物のｐＨは、特に限定されるものではないが、組成物のｐＨは（ａ）成分のシリカ微粒子の分散安定性に影響を及ぼすことから、（ａ）成分のシリカ微粒子がアニオン性を帯びるものの場合、組成物のｐＨは、下限が好ましくは６．０以上、より好ましくは７．０以上、更に好ましくは８．０以上であり、上限は好ましくは１１．０以下、より好ましくは１０．０以下、更に好ましくは９．０以下である。また、（ａ）成分のシリカ微粒子がカチオン性を帯びる場合、組成物のｐＨは、下限が好ましくは２．０以上、より好ましくは３．０以上、更に好ましくは４．０以上であり、上限は好ましくは７．０以下、より好ましくは６．０以下、更に好ましくは５．０以下である。組成物のｐＨがこの範囲内にあると、安全性及び（ａ）成分のシリカ微粒子の分散安定性に優れるので好ましい。
【００１５】
本発明の組成物の好ましい配合例としては、以下のものがあげられる：
（ａ）成分として、粒径が１０〜２０ｎｍの、アルミナでその表面を被覆したカチオン性コロイダルシリカを、組成物の全質量に対して０．１〜３質量％の量で含有し、
（ｂ）成分として、エタノールを、組成物の全質量に対して１０〜２５質量％の量で含有する組成物が特に好ましい。
更に、（ｃ）成分として、各アルキル基の炭素数４〜１０のジアルキルジメチルアンモニウム塩を、組成物の全質量に対して０．０５〜１質量％の量で含有する組成物が特に好ましい。
【００１６】
本発明の組成物の調整方法については特に制限がなく、種々の方法を用いることができるが、具体的には、シリカ微粒子を紛体で用いる場合には、予めビーズミル等の分散装置を用いて、シリカ微粒子を水中に単分散したものを、他の成分を混合したものの中に添加することが好ましく、また、コロイダルシリカのように予め水中に分散されているものを用いる場合は、他の成分を混合したものの中に直接添加することで調整することができる。
【００１７】
また、本発明の組成物は、プラスチック製容器に収納することができる。プラスチック製容器としては、ボトル容器や詰替え用のスタンディングパウチ等が挙げられる。スタンディングパウチとしては、例えば、特開２０００−７２１８１号公報に記載のものが挙げられるが、材質としては、内層に１００〜２５０μｍの線状低密度ポリエチレン、外層に１５〜３０μｍの延伸ナイロンの二層構造又は１５μｍの延伸ナイロンを中間層、１５μｍの延伸ナイロンを外層にした三層構造のスタンディングパウチが保存安定性の点から好ましい。
【００１８】
本発明の組成物を対象となる繊維製品に使用する使用方法としては、特に限定はされないが、繊維製品を組成物中に浸漬した後風乾してもよいし、組成物をスプレー容器に収納し、繊維製品に対して組成物を噴霧した後風乾してもよい。家庭においても手軽に実施できる簡便性の点から、組成物をスプレー容器に収納し、繊維製品に噴霧して使用する方法が好ましい。
本発明の組成物を繊維製品に適用する場合には、希釈せずにそのままの濃度で使用することができる。
【００１９】
本発明の繊維製品用液体防臭消臭剤物品は、上記繊維製品用液体防臭消臭剤組成物をスプレー容器に収納することを特徴とするものである。スプレー容器としては、エアゾールスプレー容器、トリガースプレー容器（直圧型あるいは蓄圧型）、ディスペンサースプレー容器等が挙げられる。エアゾールスプレー容器の例としては、特開平９−３４４１、及び特開平９−５８７６５号公報等に記載されているものが挙げられる。また、噴射剤としてはＬＰＧ（液化プロパンガス）、ＤＭＥ（ジメチルエーテル）、炭酸ガス、窒素ガス等が挙げられ、これらは単独で使用しても良く、２種以上を混合して使用しても良い。トリガースプレー容器の例としては、特開平９−２６８４７３号公報、特開平９−２５６２７２号公報、特開平１０−７６１９６号公報等に記載のものが挙げられる。ディスペンサースプレー容器の例としては、特開平９−２５６２７２号公報等に記載のものが挙げられる。これらのスプレー容器の内、詰替えにより繰り返し使用ができるという経済性の点から、トリガースプレー又はディスペンサースプレーが好ましい。
【００２０】
本発明の物品を対象となる繊維製品に噴霧して使用する場合の噴霧量は、付着した臭いの強度にもよるため、特に限定はされないが、繊維製品の質量に対して、下限が好ましくは５質量％以上、より好ましくは１０質量％以上、更に好ましくは２０質量％以上であり、上限は好ましくは１００質量％以下、より好ましくは８０質量％以下、更に好ましくは５０質量％以下である。特に、１０〜８０質量％が好ましく、さらに特に２０〜５０質量％が好ましい。噴霧量がこの範囲内にあると、消臭性、防臭性及び経済性に優れるので好ましい。
【００２１】
本発明の組成物及び物品を使用する対象の繊維製品としては、特に限定はされないが、例えば、スーツ、スラックス、スカート、Ｙシャツ、Ｔシャツ、ポロシャツ、ブラウス、チノパン、テーブルクロス、ランチョンマット、カーテン、ソファーカバー等が挙げられる。また、対象とする繊維の素材も、特に限定はされないが、例えば、綿、ウール、麻等の天然繊維、ポリエステル、ナイロン、アクリル等の合成繊維、アセテート等の半合成繊維、レーヨン、テンセル、ポリノジック等の再生繊維及びこれら各種繊維の混紡品、混織品、混編品等が挙げられる。
【実施例】
【００２２】
次に、実施例及び比較例により本発明を更に詳細に説明するが、本発明は下記実施例等に限定されるものではない。
まず、実施例及び比較例において使用した成分について以下に示す。
ａ−１：アニオン性コロイダルシリカ（スノーテックス２０、日産化学工業（株）製、粒径：１０〜２０ｎｍ）
ａ−２：アニオン性コロイダルシリカ（スノーテックス２０Ｌ、日産化学工業（株）製、粒径：４０〜５０ｎｍ）
ａ−３：アニオン性コロイダルシリカ（スノーテックスＺＬ、日産化学工業（株）製、粒径：７０〜１００ｎｍ）
ａ−４：カチオン性コロイダルシリカ（スノーテックスＡＫ、日産化学工業（株）製、粒径：１０〜２０ｎｍ）
ａ−５：カチオン性コロイダルシリカ（シリカドール２０Ｐ、日本化学工業（株）製、粒径：１０〜２０ｎｍ）
ａ−６：カチオン性コロイダルシリカ（Ｋｌｅｂｏｓｏｌ３０ＣＡＬ２５、Ｃｌａｒｉａｎｔ社製、粒径：２５ｎｍ）
ｂ−１：エタノール（試薬１級、甘糟化学産業株式会社製）
ｂ−２：２−プロパノール（鹿１級、関東化学株式会社製）
ｃ−１：ジデシルジメチルアンモニウムクロライド（アーカード２１０−８０Ｅ、ライオンアクゾ（株）製）
ｃ−２：ステアリルトリメチルアンモニウムクロライド（アーカードＴ−８００、ライオンアクゾ（株）製）
植物精油：ハッカ精油（日本薬局方）
シリコーン：ポリエーテル変性シリコーン（ＳＨ３７７５Ｍ、東レ・ダウ  コーニング・シリコーン（株）製）
香料：特開２００２−１４６３９９号公報記載の表１１〜１８記載の香料組成物Ａ
【００２３】
実施例及び比較例で使用した組成物は、（ａ）成分及び精製水以外の成分を予め混合したものに、精製水を添加し、次いで（ａ）成分を添加することにより調整した。尚、得られた組成物のｐＨは、（ａ）成分としてａ−１〜３を用いた場合には８．５、（ａ）成分としてａ−４〜６を用いた場合には４．５、それ以外のものは７．０に、硫酸又は水酸化ナトリウムを用いて調整した。
次に、実施例及び比較例において実施した評価方法について以下に示す。
【００２４】
＜消臭性評価方法＞
ウールサージ布（１５ｃｍ×２０ｃｍ、５ｇ）１６枚を縦５０ｃｍ×横３０ｃｍ×高さ５０ｃｍのダンボールの上部に吊るし、火を付けたタバコ（マイルドセブン、日本たばこ産業（株）製）２本をダンボールの下部に置き、ダンボールを密閉して１時間放置した。その後、布を取りだし、２５℃、４５％ＲＨの室内で１時間放置したものを試験布として用いた。表１及び２記載の組成物をディスペンサーポンプスプレー（衣類のキレイキレイ、ライオン（株）製）を用いて、上記試験布に均一に１ｇ噴霧後、２５℃、４５％ＲＨの室内で１時間及び１日間放置した。消臭性は、１０人のパネラーで放置後試験布の残タバコ臭の強さを下記の基準により官能評価し、その平均値を表に記載した。
５点：噴霧前と同等
４点：噴霧前よりは弱いが、強いと感じる程度の強さ
３点：容易に感知できる程度の強さ
２点：何の臭いか分かる程度の強さ
１点：やっと感知できる程度の強さ
０点：無臭
【００２５】
＜防臭性評価方法＞
３０代成人男子が半年間洗濯着用を繰り返した肌シャツ（綿１００％、１５０ｇ、富士紡績（株）製）を試験布として用いた。試験布を真中で縦に半裁し、片方には、表１及び２記載の組成物をトリガースプレー（衣類のキレイキレイ、ライオン（株）製）を用いて均一に３０ｇ噴霧し、もう片方には、同スプレーを用いて、ブランクとして水を均一に３０ｇ噴霧後、３０℃、８５％ＲＨの室内で１日間放置した。防臭性は、１０人のパネラーで組成物を噴霧した片側と、ブランクとして水を噴霧した片側の臭気の強さを下記の基準により官能評価し、その平均値を表に記載した。
５点：ブランクと同等
４点：ブランクより僅かに弱い
３点：ブランクよりやや弱い
２点：ブランクより明らかに弱い
１点：ほぼ無臭
【００２６】
実施例及び比較例を以下の表１及び２に示す。なお、表中の各成分の含有量は純分としての含有量を示し、単位は何れも質量％である。
【００２７】
【表１】
2005248372.tif 000002
【００２８】
【表２】
2005248372.tif 000003